【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
撮像装置に着脱可能なアクセサリであって、
前記撮像装置に接続可能な第一のコネクタと、
前記撮像装置に接続可能な第二のコネクタと、
前記撮像装置と通信するアクセサリ制御部と、を有し、
前記アクセサリ制御部は、前記アクセサリが前記撮像装置に装着されて初期設定を行う際に、
前記第一のコネクタを介して前記撮像装置に第一の検出信号を送信し、
前記第二のコネクタが前記撮像装置に装着されたことを検出する第二の検出信号に応じて、前記撮像装置から前記第二のコネクタを介して第三の検出信号を受信することを特徴とするアクセサリ。
【請求項２】
前記アクセサリ制御部は、
前記第三の検出信号を受信した場合、前記アクセサリが前記撮像装置に正常に装着されたと判定し、
前記第三の検出信号を受信しない場合、前記アクセサリが前記撮像装置に正常に装着されていないと判定することを特徴とする請求項１に記載のアクセサリ。
【請求項３】
前記アクセサリ制御部は、前記第三の検出信号を受信しておらず、かつ、前記アクセサリに挿入された電池の電力が所定値以上消費された場合、異常状態であることの通知を行うことを特徴とする請求項２に記載のアクセサリ。
【請求項４】
前記アクセサリ制御部は、
前記第三の検出信号がローレベルである場合、前記第三の検出信号を受信したと判定し、
前記第三の検出信号がハイレベルである場合、前記第三の検出信号を受信していないと判定することを特徴とする請求項１乃至３のいずれか１項に記載のアクセサリ。
【請求項５】
前記第一のコネクタは、前記アクセサリに挿入された電池と前記撮像装置との間で第一の通信信号を通信する端子を有し、
前記アクセサリ制御部は、前記初期設定を行う際に、前記端子を介して前記撮像装置に前記第一の検出信号を送信することを特徴とする請求項１乃至４のいずれか１項に記載のアクセサリ。
【請求項６】
前記アクセサリ制御部は、前記アクセサリに前記電池が挿入され前記アクセサリの電池蓋が閉められた場合、所定のレベルの前記第一の通信信号に相当する前記第一の検出信号を送信することを特徴とする請求項５に記載のアクセサリ。
【請求項７】
前記アクセサリ制御部は、前記アクセサリに前記電池が挿入され前記電池蓋が閉められた場合、第一のオン信号をハイレベルにして第一のスイッチをオンし、前記第一の通信信号のレベルをローレベルに設定することを特徴とする請求項６に記載のアクセサリ。
【請求項８】
前記アクセサリ制御部は、前記第一の通信信号のレベルを前記ローレベルに設定した後、第二のスイッチを切り替えることにより、前記電池との間で第二の通信信号を通信することを特徴とする請求項７に記載のアクセサリ。
【請求項９】
前記アクセサリ制御部は、前記第三の検出信号を受信した場合であって、かつ前記第二の通信信号の通信が終了している場合、前記撮像装置と前記電池との通信が可能となるように前記第二のスイッチを制御することを特徴とする請求項８に記載のアクセサリ。
【請求項１０】
前記アクセサリが前記撮像装置に装着される際に、最初に前記第一のコネクタが前記撮像装置に装着され、次に前記第二のコネクタが前記撮像装置に装着されることを特徴とする請求項１乃至９のいずれか１項に記載のアクセサリ。
【請求項１１】
前記アクセサリは、バッテリーグリップであり、
前記バッテリーグリップは、電池を挿入するための本体部と、前記撮像装置の電池収納部に装着される突出部と、を有し、
前記第一のコネクタは、前記突出部に設けられ、
前記第二のコネクタは、前記本体部に設けられていることを特徴とする請求項１乃至１０のいずれか１項に記載のアクセサリ。
【請求項１２】
アクセサリが着脱可能な撮像装置であって、
前記アクセサリに接続可能な第一のコネクタと、
前記アクセサリに接続可能な第二のコネクタと、
前記アクセサリと通信するカメラ制御部と、を有し、
前記カメラ制御部は、前記アクセサリが前記撮像装置に装着されて初期設定を行う際に、
前記第一のコネクタを介して前記アクセサリから第一の検出信号を受信し、
前記第二のコネクタが前記アクセサリに装着された場合、第二の検出信号を受信し、
前記第一の検出信号および前記第二の検出信号を受信した場合、前記第二のコネクタを介して第三の検出信号を送信することを特徴とする撮像装置。
【請求項１３】
電子機器に着脱可能なアクセサリであって、
前記電子機器に接続可能な第一のコネクタと、
前記電子機器に接続可能な第二のコネクタと、
前記電子機器と通信するアクセサリ制御部と、を有し、
前記アクセサリ制御部は、前記アクセサリが前記電子機器に装着されて初期設定を行う際に、
前記第一のコネクタを介して前記電子機器に第一の検出信号を送信し、
前記第二のコネクタが前記電子機器に装着されたことを検出する第二の検出信号に応じて、前記電子機器から前記第二のコネクタを介して第三の検出信号を受信することを特徴とするアクセサリ。
【請求項１４】
前記アクセサリ制御部は、
前記第三の検出信号がローレベルである場合、前記第三の検出信号を受信したと判定し、
前記第三の検出信号がハイレベルである場合、前記第三の検出信号を受信していないと判定することを特徴とする請求項１３に記載のアクセサリ。
【請求項１５】
前記第一のコネクタは、前記アクセサリに挿入された電池と前記電子機器との間で第一の通信信号を通信する端子を有し、
前記アクセサリ制御部は、前記初期設定を行う際に、前記端子を介して前記電子機器に前記第一の検出信号を送信することを特徴とする請求項１３または１４に記載のアクセサリ。
【請求項１６】
前記アクセサリ制御部は、前記アクセサリに前記電池が挿入され前記アクセサリの電池蓋が閉められた場合、所定のレベルの前記第一の通信信号に相当する前記第一の検出信号を送信することを特徴とする請求項１５に記載のアクセサリ。
【請求項１７】
前記アクセサリ制御部は、前記アクセサリに前記電池が挿入され前記電池蓋が閉められた場合、第一のオン信号をハイレベルにして第一のスイッチをオンし、前記第一の通信信号のレベルをローレベルに設定することを特徴とする請求項１６に記載のアクセサリ。
【請求項１８】
前記アクセサリ制御部は、前記第一の通信信号のレベルを前記ローレベルに設定した後、第二のスイッチを切り替えることにより、前記電池との間で第二の通信信号を通信することを特徴とする請求項１７に記載のアクセサリ。
【請求項１９】
前記アクセサリ制御部は、前記第三の検出信号を受信した場合であって、かつ前記第二の通信信号の通信が終了している場合、前記電子機器と前記電池との通信が可能となるように前記第二のスイッチを制御することを特徴とする請求項１８に記載のアクセサリ。
【手続補正２】
【補正対象書類名】明細書
【補正対象項目名】０００８
【補正方法】変更
【補正の内容】
【０００８】
本発明の他の側面としての撮像装置は、アクセサリが着脱可能な撮像装置であって、前記アクセサリに接続可能な第一のコネクタと、前記アクセサリに接続可能な第二のコネクタと、前記アクセサリと通信するカメラ制御部とを有し、前記カメラ制御部は、前記アクセサリが前記撮像装置に装着されて初期設定を行う際に、前記第一のコネクタを介して前記アクセサリから第一の検出信号を受信し、前記第二のコネクタが前記アクセサリに装着された場合、第二の検出信号を受信し、前記第一の検出信号および前記第二の検出信号を受信した場合、前記第二のコネクタを介して第三の検出信号を送信する。
また、本発明の一側面としてのアクセサリは、電子機器に着脱可能なアクセサリであって、前記電子機器に接続可能な第一のコネクタと、前記電子機器に接続可能な第二のコネクタと、前記電子機器と通信するアクセサリ制御部と、を有し、前記アクセサリ制御部は、前記アクセサリが前記電子機器に装着されて初期設定を行う際に、前記第一のコネクタを介して前記電子機器に第一の検出信号を送信し、前記第二のコネクタが前記電子機器に装着されたことを検出する第二の検出信号に応じて、前記電子機器から前記第二のコネクタを介して第三の検出信号を受信する。